(57)【要約】【課題】送信したはずの画像データに基づく画像がプリントされないことをユーザに伝える撮影装置を提供すること。【解決手段】画像データ送信の失敗したときに、送信しようとした画像を表示部に表示させたまま、点滅させたり、失敗の文字や×印を合成表示させたりして、赤外線通信がうまく行なわれなかったことをユーザに伝える。ユーザは、赤外線通信による転送の失敗であることに気づいて、以前にも増して慎重に画像データの送信を行うようになり、確実に画像データの送信を行なえるようになる。【選択図】  図４
2005020671.tif 000002
【特許請求の範囲】
【請求項１】
撮影を行なって画像データを得る撮影部と、
前記撮影部により得られた画像データを、該画像データに基づく画像を出力するプリンタに向けて送信する送信部と、
前記送信部による画像データ送信の成功、失敗を判定する判定部と、
前記判定部による画像データ送信失敗の判定を受けて、画像データの送信に失敗した旨を表示するとともに、送信に失敗した画像データにより表わされる画像を特定する画像を表示する表示部とを備えたことを特徴とする撮影装置。
【請求項２】
前記送信部は、赤外線通信により画像データを送信するものであることを特徴とする請求項１記載の撮影装置。
【請求項３】
前記撮影部により取得された画像データを編集する編集部を備え、
前記送信部は、編集後の画像データの送信が自在なものであることを特徴とする請求項１記載の撮影装置。
【請求項４】
この撮影装置は、携帯型の電話機に組み込まれたものであることを特徴とする請求項１記載の撮影装置。
【発明の詳細な説明】
【０００１】
【発明の属する技術分野】
本発明は、撮影を行なって画像データを得、その画像データを送信する、例えば携帯電話等に組み込まれた撮影装置に関する。
【０００２】
【従来の技術】
近年、携帯電話やＰＨＳ（Ｐｅｒｓｏｎａｌ  Ｈａｎｄｙｈｏｎｅ  Ｓｙｓｔｅｍ）等の携帯型の電話機等（以下、通信形態を問わず「携帯電話機」で代表させることがある）には撮影機能が搭載され、さらにその撮影機能を用いて撮影された画像データを送信する機能も搭載されてきている。これに合わせて、そのような機能が搭載された携帯電話から送信されてきた画像データを受信してその画像データに基づいて画像をプリント出力するプリンタも考えられてきている。
【０００３】
一方、画像データを受信し、その受信した画像データに基づく画像を出力するプリンタにおいては、受信した画像データに基づいて用紙サイズに応じた拡大または縮小処理を行なう等新たな機能が搭載されてきている（例えば特許文献１参照）。
【０００４】
しかしながら、プリンタに向けて画像データを送信したにも拘わらず、送信したはずの画像データに基づく画像がプリントされないことがある。この場合、画像データの通信がうまくいかなかったのか、あるいは機器の故障なのか、ユーザでは判断つきかねることがある。
【０００５】
【特許文献１】
特開２００１−９４７６９号公報
【０００６】
【発明が解決しようとする課題】
本発明は、上記事情に鑑み、送信したはずの画像データに基づく画像がプリントされないことをユーザに伝える撮影装置を提供することを目的とする。
【０００７】
【課題を解決するための手段】
上記目的を達成する本発明の撮影装置は、撮影を行なって画像データを得る撮影部と、
上記撮影部により得られた画像データを、その画像データに基づく画像を出力するプリンタに向けて送信する送信部と、
上記送信部による画像データ送信の成功、失敗を判定する判定部と、
上記判定部による画像データ送信失敗の判定を受けて、画像データの送信に失敗した旨を表示するとともに、送信に失敗した画像データにより表わされる画像を特定する画像を表示する表示部とを備えたことを特徴とする。
【０００８】
上記本発明の撮影装置によれば、上記判定部により画像データ送信の成功、失敗が判定され、その判定部の判定を受けて、その送信に失敗した画像が上記表示部に表示されるので、どの画像データの送信に失敗したのかがユーザにより特定される。
【０００９】
そうすると、送信しようとしていた画像データ送信の失敗を上記表示部によりユーザに分かりやすく伝えることができ、その画像データ送信がうまくいかなかった場合には、その送信に失敗した画像を判定部により特定し、表示部に表示させることによって再送信を促せる。
【００１０】
また、上記撮影部により取得された画像データを編集する編集部を備え、
上記送信部は、編集後の画像データの送信が自在なものであることが好ましい。
【００１１】
このように、撮影部側で画像データの編集を行なえると、画像データの編集を撮影部側で行なえて、その編集した画像データをプリンタに送信することができる。このためユーザにとっては使い勝手の良いものになる。
【００１２】
尚、本発明の撮影部においては、上記送信部は、赤外線通信により画像データを送信するものであることが好ましく、また、上記撮影部は、携帯型の電話機に組み込まれたものであることが望ましい。
【００１３】
そうすると、携帯電話を情報取得用のターミナル機器として使用し、そのターミナル機器で取得した情報をプリンタに赤外線通信により送信することによってその場で情報の記録を行なえる。ＵＳＢなどの有線通信であっても良いが、ハンディターミナル機器であることを考えれば、ケーブルを持ち歩いてケーブルを接続する手間が省かれる分、赤外線通信のような無線通信であることが望ましい。
【００１４】
また、本発明の撮影装置と、その撮影装置から赤外線通信により送信されてくる画像データを受信するプリンタを持っていれば、どこでも手軽にプリントを行なえる反面、他の携帯電話との混線（クロストーク）が予想される。そこで、この混線がほとんど起こらないＩｒＤＡ規格、ブルートゥース（商標）規格などに準拠した通信機能が搭載された携帯電話であることが好ましい。
【００１５】
【発明の実施の形態】
以下、本発明の実施形態について説明する。
【００１６】
図１および図２は、本発明の撮影プリントシステムを構成する撮影装置の一実施形態が組み込まれた携帯電話機の、それぞれ表面および裏面を示す斜視図である。
【００１７】
この携帯電話２００は、上部２１０と下部２２０とからなり、折り畳み式となっている。
【００１８】
この携帯電話２００の上部２１０には、表示画面２１１、送話口２１２、アンテナ２１３および裏面に配備されたカメラ用撮影レンズ２１４が備えられており、下部２２０には操作キー２２１や受話口２２２が備えられている。
【００１９】
図３は、図１、図２に外観を示す携帯電話の内部構成を示すブロック図である。
【００２０】
この携帯電話２００は、ＣＰＵ２３０でその全体が制御されるように構成されている。このＣＰＵ２３０には揮発性のメモリであるＲＡＭ２３１、不揮発性のメモリであるＲＯＭ２３２、図１に示す表示画面２１１を備えた表示部２３３、図１にも示す操作キー２２１、書換可能な不揮発性のメモリである書換可能ＲＯＭ２３４および電源部２３５が配備されている。
【００２１】
ＲＯＭ２３２には、ＣＰＵ２３０で実行されるプログラム等が記憶されており、また、書換可能ＲＯＭ２３４には、パケット通信によりダウンロードされたプログラムが記憶され、そのＲＯＭ２３２や書換可能ＲＯＭ２３４に記憶されたプログラムがＣＰＵ２３０で実行されることにより、この携帯電話２００の各部の動作が制御される。
【００２２】
ＲＡＭ２３１は、ＣＰＵ２３０で実行されるプログラムの作業領域として利用される他、この携帯電話２００で取り扱われる画像データの画素数の設定値や画像データ等の格納領域として利用される。
【００２３】
表示部２３３は、図１に示す表示画面２１１を有し、ＣＰＵ２３０の指示に応じてこの表示画面２１１に画像を表示する。
【００２４】
また操作キー２２１は、ユーザによる操作を受けその操作をＣＰＵ２３０に伝える役割りを担っている。操作キー２２１が操作されると、ＣＰＵ２３０は、その操作に応じて各部を制御する。
【００２５】
電源部２３５には、電池（図示せず）が装填されその電池からの電力を、ＣＰＵ２３０や、そのＣＰＵ２３０からの指令を受けてこの携帯電話の各部に供給する。
【００２６】
また、この携帯電話２００には、電話機能を担う構成要素として、図１、図２にも示すアンテナ２１３、送受信部２４１、信号処理部２４２、および通話部２４５が備えられている。この通話部２４３には、図１の受話口２２２の内部に配備されたマイクロホン２４３ａと送話口２１２の内部に配備されたスピーカ２４３ｂが含まれている。
【００２７】
送受信部２４１は、アンテナ２１３での電波の送受信を担う回路要素であり、アンテナ２１３での電波受信により送受信部２４１で得られた信号は信号処理部に入力されて信号処理を受けて通話部２４３のスピーカ２４３ｂから音声として出力される。また、通話部２４３のマイクロホン２４３ａでピックアップされた音声は信号処理部２４２で信号処理を受け送信部２４１を介してアンテナ２１３から電波として送信される。
【００２８】
また、この携帯電話２００はパケット通信機能も備えており、アンテナ２１３および送受信部２４１を介して受信またはパケット信号は、信号処理部２４２で適切な信号処理を受けた後一旦ＲＡＭ２３１に格納され、あるいはダウンロードされたプログラムの場合は書換可能ＲＯＭ２３４に記憶され、操作キー２２１からの指示を受けたＣＰＵ２３０により、そのＲＡＭ２３１内のパケットデータが表示部２３３の表示画面２１１（図１参照）に表示され、あるいは書換可能ＲＯＭに記憶されたプログラムが実行される。
【００２９】
また操作キー２２１で作成されたパケット通信文書等はその作成時点ではＲＡＭ２３１に一旦格納され、操作キー２２１からの送信指示に応じて信号処理部２４１に送られて送信用に信号処理を受け、送受信部２４１およびアンテナ２１３を介して電波として送信される。
【００３０】
さらに、この携帯電話２００には、本発明にいう撮影装置の一実施形態としての撮影機能を有している。ここには、この撮影機能を担う要素として、撮影部２５１、画像処理部２５２が備えられている。またその撮影機能で撮影された画像を表わす画像データを送信する機能を担う要素として赤外線通信部２５３が備えられている。
【００３１】
撮影部２５１には、図１に示す撮影レンズ２１４および撮影素子２５１ａが備えられており、撮影レンズを経由して取り込まれた被写体が撮影素子２５１ａで提示されて画像信号が生成される。この撮影素子２５１ａで得られた画像信号は画像処理部２５２で処理されてデジタルの画像データに変換され、ＣＰＵ２３０を介して一旦ＲＡＭに格納され操作キー２２１の操作に応じて表示部２３１の表示画面２１１に表示され、あるいは、赤外線通信部２５３を介して外部（後述するプリンタ）に向けて送信される。また、この赤外線通信部２５３は、赤外線信号受信機能も備えており、送信した画像データがプリンタで受信された場合にプリンタから通信されてくる、画像データを受信したことを表わすアクノリツジ信号を受信する。これにより、この携帯電話では、プリンタに向けて画像データを送信してから所定時間以内にアクノリッジ信号を受信できたか否かにより、送信したこれらデータがプリンタで正しく受信されたか否かが認識することができる。
【００３２】
この画像データを送信する赤外線通信部が本発明にいう送信部に当たり、アクノリッジ信号を受信する赤外線通信部およびそのアクノリッジ信号の受信を受けて送信の成功を判定するＣＰＵが本発明にいう判定部に当たる。
【００３３】
以下では図１〜図３に示す携帯電話における撮影および画像データ送信機能を中心に説明する。以下の説明においては現存する携帯電話が備えるｉｓｈｏｔ（登録商標）と呼ばれる撮影機能を例に挙げて構成を説明する。
【００３４】
この携帯電話では、ｉｓｈｏｔＬと称される画素数３５２×２８８×３色分のサイズの画像データ、ＶＧＡと称される、画素数６４０×４８０×３色分のサイズの画像データ、および１メガと称される、画素数約１０００×１０００×３色分のサイズの画像データを取り扱うことができるが、操作キー２２１が操作されて撮影プリントプログラムが実行されると、その実行の初期段階でこの携帯電話で取り扱う画像データとしてｉｓｈｏｔＬが初期設定される。尚、この携帯電話としては、ｉｓｈｏｔＬよりもさらに画素数の少ないｉｓｈｏｔＳのサイズの画像データも利用できるが、このｉｓｈｏｔＳのサイズの画像データは、パケット通信等に利用されるサイズの画像データであり、プリント出力数はサイズが小さ過ぎるため、以下に説明する撮影プリントプログラムでは、このｉｓｈｏｔＳのサイズの画像データは利用できないようになっている。この撮影プリントプログラムは、パケット通信によりダウンロードされ書換可能ＲＯＭ２３４に記憶されたものである。
【００３５】
図４は、撮影プリントプログラムの撮影時の処理を表示画面２１１上への表示態様の形式で示すフローチャートである。この撮影・プリントプログラムの撮影時の処理が進むと、表示画面が異なる表示態様に切り替わり、処理が進められるので、以下の説明においては、それぞれの表示態様を各ステップに対応させ、各ステップの表示画面と記載して各ステップの処理を説明する。
【００３６】
撮影プリントプログラムを起動すると、まずステップＳ４０１の表示画面２１１になる。このステップＳ４０１の表示画面には、プリントシステムという標題の下に、「編集」、「カメラ」、「プリント」の項目が表示される。このステップＳ４０１の表示画面の中のいずれかの項目が選択されると、その項目にあった処理がそれぞれ実行される。
【００３７】
まず、「編集」、「カメラ」、「プリント」の項目のうち、操作子２２１の操作により「カメラ」の項目が選択されると、撮影プリントプログラムの撮影処理が実行される。この撮影処理が実行されると、ステップＳ４０１の表示画面がステップＳ４０２の表示画面に切り替わる。このステップＳ４０２の表示画面の中には、ファインダ代わりになるスルー画像とそのスルー画像の下方に、「撮影」、「設定」の二つの選択項目が表示される。それらの選択項目のうち、「撮影」の項目が操作子２２１の操作により選択されたらステップＳ４０３の表示画面に切り替わり、「設定」の項目が選択されたら、ステップＳ４０４の表示画面に切り替わる。
このステップＳ４０４の表示画面では、＜撮影画面＞の標題の下方に「ｉｓｈｏｔＬ」、「ＶＧＡ」、「１メガ」の３つの項目が表示される。前述したようにこの携帯電話が取り扱うことができるｉｓｈｏｔＬと称される画素数３５２×２８８×３色分のサイズの画像データ、ＶＧＡと称される、画素数６４０×４８０×３色分のサイズの画像データ、および１メガと称される、画素数約１０００×１０００×３色分のサイズの画像データのうち、どのサイズで撮影を行なうかが表示され、ステップＳ４０２で「設定」が選択されなければ、初期設定されたｉｓｈｏｔＬで撮影が行なわれる。
【００３８】
ステップＳ４０２で「撮影」が選択されたら、ステップＳ４０３の画面に切り替わる。このステップＳ４０３の表示画面では、撮影された画像と、その画像の下方に「キャンセル」、「プリント」、「登録」の選択項目が表示される。このステップＳ４０３の表示画面で「プリント」が選択されたら、ステップＳ４０５の表示画面に切り替わり、「登録」が選択されたらステップＳ４０９の表示画面に切り替わる。ステップＳ４０９の表示画面では、“画像を保存しました”というメッセージが表示され、このメッセージを表示した後、所定の時間を経てステップＳ４１０の表示画面に切り替わる。このステップＳ４１０の表示画面では“続けて撮影しますか？”のメッセージの下方に「戻る」、「はい」の選択項目が表示され、この表示画面で「はい」の項目が操作子の操作により選択されたらステップＳ４０２の表示画面に切り替わり、カメラのレンズ２１４が向けられた被写体のスルー画像が表示画面に表示される。またこのステップＳ４１０で「戻る」が選択されたら、ステップＳ４０１の表示画面に切り替わる。
【００３９】
また、ステップＳ４０３の表示画面で「プリント」が選択されたらステップＳ４０５の表示画面に切り替わり、“赤外線ポートをプリンタに向かい合わせてください”のメッセージの下方に「キャンセル」、「ＯＫ」の選択項目が表示される。
【００４０】
ここでステップＳ４０５の表示画面の指示どおりに携帯電話の赤外線ポートをプリンタに向かい合わせて「ＯＫ」が操作子の操作により選択されると、画像の転送が開始される。ここでは、まず携帯電話２００とプリンタとの間で画像データを通信する際に必要な通信条件の交渉が行なわれる。この交渉が携帯電話とプリンタとの間で締結したら、画像データの転送が開始され、ステップＳ４０６の表示画面に切り替わり、“プリンタ転送中”のメッセージが表示される。このようにして画像データの転送が行なわれ、所定の期間経過し、画像データの転送が完了したら、次のステップＳ４０７の表示画面に切り替わり、転送した画像とともに、その転送した画像の下方に“プリンタ転送完了しました。登録しますか？”のメッセージが表示される。そのメッセージの下方に「いいえ」、「登録」の選択項目が表示され、「登録」が選択されたら、ステップＳ４１０の表示画面に切り替わり、「いいえ」が選択されたら、ステップＳ４０９の表示画面に切り替わる。
【００４１】
ステップＳ４０６の表示画面が表示されているときに、携帯電話機の向きがプリンタからずれたりすると、画像データの転送がうまくいかないこともある。そのときには、携帯電話２００の赤外線通信部２５３が送信した画像データがプリンタで受信された場合にプリンタから通信されてくる、アクノリッジ信号が所定の時間内に受信されない場合には、転送した画像の下方に“転送失敗しました”のメッセージが表示される。このときには転送に失敗したという状況が分かるように転送しようとした画像の上に×印を合成して表示している。この×印を合成表示させる方法に限らず、画像の点滅表示を行なわせたり、失敗という文字の合成表示を行なわせたりすることもできる。また、転送しようとしていた画像一部が欠けたような不完全な画像の表示を行なわせるようにしても良い。
【００４２】
この表示を行なわせるＣＰＵが本発明にいう判定部に当たる。
【００４３】
図５は、撮影プリントプログラムのプリント時の処理を表示画面２１１上への表示態様の形式で示すフローチャートである。
【００４４】
図４のステップＳ４０１の表示画面と同様のステップＳ５０１の表示画面の中から、「プリント」が選択されると、撮影プリントプログラムのプリント処理が実行される。このプリント処理が実行されると、ステップＳ５０２の表示画面に切り替わり、既撮影画像のサムネイル画像がマルチ画面で表示される。ここではマルチ画面で、４つのサムネイルの既撮影画像を表示させている。この４つのサムネイルの既撮影画像の中からいずれかが操作子の操作により選択され、さらにそのマルチ画面の下方にある決定の項目が選択されたら、次のステップＳ５０３の表示画面に切り替わり、その選択されたサムネイルの既撮影画像とともにその既撮影画像の下方に「キャンセル」、「プリント」の選択項目が表示される。
【００４５】
このステップＳ５０３で「キャンセル」が選択されたら、ステップＳ５０２の表示画面に戻り、画像の選択がやり直される。ステップＳ５０３の表示画面で「プリント」が選択されたら、ステップＳ５０４の表示画面に切り替わる。このステップＳ５０４の表示画面には“赤外線ポートをプリンタに向かい合わせてください”のメッセージと、そのメッセージの下方に「キャンセル」、「ＯＫ」の選択項目が表示される。
【００４６】
ここで表示画面の指示どおりに携帯電話２００の赤外線ポートをプリンタに向かい合わせて「ＯＫ」が選択されると、画像データの転送が開始される。このように画像データの転送が開始されたら、次のステップＳ５０５の表示画面に切り替わり、“プリンタ転送中”のメッセージが表示される。プリンタ転送が所定の期間行なわれ、画像データの転送が完了したら、次のステップＳ５０７の表示画面に切り替わる。このときには、転送した画像とその画像の下方に“プリンタ転送完了しました。別の画像をプリントしますか？”のメッセージが表示され、さらにそのメッセージの下方に「終わり」、「ＯＫ」の選択項目が表示される。ここで「ＯＫ」が選択されると、ステップＳ５０２の表示画面に切り替わり、「終わり」が選択されると、ステップＳ５０１の表示画面に切り替わる。
【００４７】
ステップＳ５０５の表示画面が表示され、画像データの転送が行なわれている最中に、プリンタから通信されてくるアクノリッジ信号が携帯電話に受信されない場合には、転送した画像とその画像の下方に“プリンタ転送失敗しました。転送し直しますか？”のメッセージ、さらにそのメッセージの下方に「終わり」、「再送」の選択項目が表示される。前述したように、転送失敗の場合には、転送しようとしいた画像の点滅表示が行なわれたり、×印の合成表示が行なわれたりする。
【００４８】
このステップＳ５０６の表示画面の中の「再送」が選択されたら、ステップＳ５０５の表示画面に切り替わり、「終わり」が選択されたらステップＳ５０１の表示画面に切り替わる。以上が撮影・プリントプログラムのプリントに関する処理である。
【００４９】
この撮影・プリントプログラムには編集処理機能もあるので、図６を参照してその編集処理を説明する。
【００５０】
図６は、撮影プリントプログラムの編集時の処理を表示画面２１１上への表示態様の形式で示すフローチャートである。
【００５１】
この編集時の処理では、書き換え自在なメモリ内に記録された既撮影画像の消去や画像にフレームの添付が行なわれる。
【００５２】
ステップＳ６０１で「編集」が選択されると、撮影・プリントプログラムの編集処理が実行される。図５のステップと同様にステップＳＳ６０２で既撮影画像がマルチ画面で表示され、そのマルチ画面の下方に「決定」の項目が表示される。このマルチ画面のいずれかの画像が操作子の操作により選択され、さらに「決定」が選択されると、次のステップＳ６０３の表示画面に切り替わる。このステップＳ６０３の表示画面では、選択された画像とその画像の下方に「キャンセル」、「フレーム」、「削除」の選択項目が表示される。
【００５３】
このステップＳ６０３で「削除」が選択されたら次のステップＳ６０４の表示画面に切り替わり、選択された画像の下方に“画像を削除します。ＯＫですか”のメッセージとともに「キャンセル」、「ＯＫ」の項目が表示される。ここで「ＯＫ」が選択されたら、書き換え自在なＲＯＭ内の既撮影画像を表わす画像データの削除が行なわれ、次のステップＳ６０５の表示画面に切り替わり、“画像を削除しました”のメッセージとそのメッセージの下方に「ＯＫ」の項目が表示される。ここで「ＯＫ」の項目が選択されたらステップＳ６０２の表示画面に切り替わる。また、ステップＳ６０３、Ｓ６０４の表示画面で「キャンセル」が選択されたら、ステップＳ６０２の表示画面に切り替わる。
【００５４】
以上が既撮影画像を表わす画像データの削除に関する処理である。
【００５５】
次にフレームの添付の処理を説明する。
【００５６】
ステップＳ６０３の表示画面で「フレーム」が選択されたらステップＳ６０６の表示画面に切り替わり、フレームが添付された画像が表示され、このフレームが添付された画像の下方に「戻る」、「次のフレーム」、「登録」、「プリント」の項目が表示される。ここで「次のフレーム」が選択されたら、ステップＳ６０６の表示画面内のフレームが別のフレームに切り替わり、ステップＳ６０７の表示画面に示すような別のフレームが添付された画像が表示される。この別のフレームが添付された画像の下方にもステップＳ６０６の表示画面と同様に「戻る」、「次のフレーム」、「登録」、「プリント」の項目が表示され、ここで「次のフレーム」が選択されたらステップＳ６０６の表示画面に戻る。
【００５７】
また、ステップＳ６０６の表示画面の中のプリントの項目が選択されたら、ステップＳ６０８の表示画面に切り替わり、“赤外線ポートをプリンタに向かい合わせてください”のメッセージとそのメッセージの下方に「キャンセル」、「ＯＫ」の選択項目が表示される。
【００５８】
ここで表示画面の指示どおりに携帯電話の赤外線ポートをプリンタに向かい合わせて「ＯＫ」が選択されると、フレーム付き画像データの転送が開始される。ここでは、フレーム付き画像データの転送が開始されたら、次のステップＳ６０９の表示画面に切り替わり、“プリンタに転送中”のメッセージが表示される。プリンタへの転送が所定の期間行なわれ、画像データの転送が完了したら、次のステップＳ６１０の表示画面に切り替わる。このときには、転送した画像とその画像の下方に“プリンタ転送完了しました。登録しますか？”のメッセージが表示され、さらにそのメッセージの下方に「終わり」、「ＯＫ」の項目が表示される。ここで「ＯＫ」が選択されると、ステップＳ６１２の表示画面に切り替わり、「終わり」が選択されると、ステップＳ６０７の表示画面に切り替わる。
【００５９】
ステップＳ６０９の表示画面が表示され、画像データの転送が行なわれているときに、プリンタから通信されてくるアクノリッジ信号が所定の時間内に携帯電話に受信されない場合には、転送した画像とその画像の下方に“プリンタ転送失敗しました。転送し直しますか？”のメッセージと、そのメッセージの下方に「終わり」、「再送」の選択項目が表示される。このときには点滅表示などが行なわれる。
【００６０】
また、ステップＳ６０６の表示画面で「登録」が選択されたら、フレームが添付された画像が書き換え可能なＲＯＭに記録された後、ステップＳ４１０の表示画面に切り替わり、“画像を保存しました”のメッセージが表示され、所定の時間を経過した後、ステップＳ６０２の表示画面に切り替わる。
【００６１】
以上が、フレームの添付に関するプリント処理である。
【００６２】
ここでこの撮影・プリントプログラムによって携帯電話から画像データが転送されたときにプリントを行なうプリンタの構成を説明する。この携帯電話とプリンタとで撮影プリントシステムが構成される。
【００６３】
図７は本発明の実施形態であるプリンタ１を、斜め前方から見た斜視図である。
【００６４】
本発明のプリンタは、図１に示す携帯電話で撮影された画像を表わす画像データが赤外線通信を用いてこのプリンタに無線送信されてきたときに、その画像データに基づいてインスタントフィルムシート上に画像の記録を行なうものであり、さらにその送信された画像データに基づく画像の再記録を、携帯電話から再送信をわざわざ行なわなくても、このプリンタに画像出力指示を与える操作子を操作するという簡単な操作で別の、つまりもう一枚のインスタントフィルム上に画像の記録を行なえるものである。
【００６５】
本実施形態のプリンタの構成を、図７を参照して説明する。
【００６６】
このプリンタ１は可搬型であって携帯電話とこのプリンタ双方を手に持って画像の記録を行なうことが可能な程度の小型かつ軽量の構造を有するものである。このプリンタ１の筐体１ａ内にインスタントフィルムパックが装填され、そのインスタントフィルムパック内の、積層された多数のインスタントフィルムシート一枚一枚に画像の記録が行なわれる。
【００６７】
プリンタ１の筐体１ａの上面には、このプリンタ１の電源の投入および遮断を指示する電源スイッチ（以下電源ＳＷという）１１やプリントスイッチ（以下プリントＳＷという）１２やプリントデータ補正スイッチ（以下プリントデータ補正ＳＷという）１３が設けられている。また、中央には、ＬＣＤパネル１４が設けられており、このＬＣＤパネル１４上にインスタンフィルムシートの残り枚数やプリントデータ補正ＳＷ１３の内容が表示される。また、前述した赤外線通信により送信されてきた画像データを受光するとともに、携帯電話に向けてデータの送信を行なう送受光素子１５が携帯電話をこのプリンタに対向させ易い位置、ここでは筐体１ａの端部に配備されている。なお、この図７には図示してはいないが、このプリンタ１はＵＳＢ通信用の通信ポートも持っている。
【００６８】
プリントＳＷ１２は、記録媒体への画像の記録が終了した後、その記録が終了した画像と同じ画像を再記録する場合に操作されるものであり、プリントデータ補正ＳＷ１３は、記録媒体に記録される画像の濃淡（Ｄａｒｋ  ｏｒ  Ｌｉｇｈｔ）を調節するためのものであり、このプリントデータ補正ＳＷ１３がＤＡＲＫ側に切り替えられるとその画像データに基づく画像の全体のトーンがやや暗くなった画像がインスタントフィルムシート上に記録され、ＬＩＧＨＴ側に切り替えられると全体のトーンがやや明るくなった画像がインスタントフィルムシート上に記録される。このプリントデータ補正ＳＷ１３が操作された後、プリントＳＷ１２が操作されると、同じ構図の写真でありながら異なった趣の写真が得られる。
【００６９】
図８は後述する光学ヘッドによってそのインスタントフィルムシート上に潜像の記録が行なわれた後、そのインスタンフィルム１００１上の潜像が顕像化されながら、このプリンタの排出口からインスタントフィルム１００１が排出されているときの状態を示す図である。
【００７０】
このプリンタでは、赤外線通信、またはＵＳＢ通信により外部から送信されてきた画像データをこのプリンタにより取得したら、その取得した画像データに基づく潜像の記録が露光によりインスタントフィルム上に行なわれ、図２に示すようにその潜像が記録されたインスタントフィルム１００１が顕像化されながら、プリンタ１外部へ排出される。その後プリントＳＷ１２が操作されたときにも、その画像と同じ画像の再記録が別のインスタントフィルム上に行なわれ、図２に示すようにインスタントフィルム１００１が排出される。
【００７１】
図９は、このプリンタ１を背面斜め後方から見た斜視図である。
【００７２】
このプリンタ１の背面側にはフィルムパック１００を装填するためのフィルムドア１０１ａが設けられており、このフィルムドア１０１ａが開けられ、フィルムパック１００がフィルム装填室１００ａに装填される。このフィルム装填室が本発明にいう媒体装填室に当たる。
【００７３】
また、このプリンタ１の電源となる電池１ｂが装填される電池装填室１０ａもそのフィルム装填室１００ａの隣にある。この電池装填室１０ａにもドアが設けられており、そのドアが開けられ、電池１ｂが装填される。
【００７４】
フィルムドアの内側１０１ａにはバネ部材１０１１ａ，１０１２ａが２つ設けられており、これらのバネ部材１０１１ａ，１０１２ａによってフィルムパック１００内に積層されたインスタントフィルムシートがプリンタ１上面側に押されるようになっている。このような構成によってそのインスタントフィルムパック１００内のインスタントフィルムシートのうち、プリンタの一番上面側にあるインスタントフィルムシート１００１が排出口１１ａに近い位置にまで押し上げられ、その位置に押し上げられたインスタントフィルムシート上に焦点のあった光点が露光により多数記録される。
【００７５】
このようなプリンタ１の内部構成を説明する。
【００７６】
図１０は、このプリンタ１の上面側のカバーを外してプリンタ内部を見た図である。
【００７７】
図１０に示すように、プリンタ内部に装填されたインスタントフィルムパック内に積層されているインスタントフィルムシートのうち、一番上にあるフィルムシート１００１に対向する位置に光学ヘッド部１６が配設されている。
【００７８】
この光学ヘッド部１６の端部にはラック部材１６１が設けられており、そのラック部材１６１が、筐体１ａに支持されているリードスクリュー１６１ａのネジに螺合している。また光学ヘッド部１６のラック部材１６１が設けられている側とは反対側にはガイド棒１６１１ａが設けられており、このガイド棒１６１１ａに光学ヘッド１６の端部が係合されている。このガイド棒１６１１ａによって光学ヘッド１６が案内されながら、リードスクリュー１６１ａとラック部材１６１の螺合により光学ヘッド１６が移動する。
【００７９】
また図１０に示すように光学ヘッド１６にはフラットケーブル１７０が接続されており、このフラットケーブル１７０を介して後述する印刷制御部から画像データに応じた制御信号が供給される。この制御信号は光学ヘッド１６内の後述する液晶シャッタアレイの各シャッタのシャッタスピードを制御するものである。この各液晶シャッタのシャッタスピードが画像データに応じて制御され、ＲＧＢそれぞれに対応する光がインスタントフィルム上に照射され、インスタントフィルムの幅方向に４８０個の光点（ドット）からなる潜像が記録される。以降の説明においてはこの幅方向つまり一次元的に各シャッタが配列されている方向を、主走査方向という。したがってこの各シャッタが主走査方向に電子的に走査されて１ライン分の４８０の光点がインスタントフィルムシート１００１上に記録される。この光学ヘッド１６の電子走査によってインスタントフィルム１００１の主走査方向に４８０ドットからなる光点が記録されたら、後述する印刷制御部からの制御信号に基づいてステッピングモータ１６２ａが駆動されてリードスクリュー１６１ａが所定の角度回転して、今度はその主走査方向と交わる方向に光学ヘッド１６によって４８０ドットづつ光点が順次記録されていく。以降の説明ではこの主走査方向と交わる方向を副走査方向という。この副走査方向には、光学ヘッドの１回の主走査で記録される光点４８０ドット分を１ラインとして６４０ラインの光点がインスタンフィルム全体に渡って記録される。
【００８０】
この光点の集まりによって画像を表わす潜像が記録されたら、展開ローラ１７によりインスタントフィルムシート１００１を挟み込んでインスタントフィルム内の現像剤をインスタントフィルムシート１００１全体に展開させ、潜像を顕像化させながらプリンタ外部へと排出する。このインスタントフィルムシート１００１は自己現像処理型感光材料であり、インスタントフィルム１００１が展開ローラ１７で挟み込まれるとインスタントフィルム内に充填されていた現像剤がインスタントフィルムシート全体に均一に展開され、フィルムシート上の潜像が顕像化されるものである。このように光学ヘッドによってインスタントフィルム上に、所定の副走査方向に移動しながらその副走査方向に交わる主走査方向に並んだ光点を画像データに応じて照射することによりそのインスタントフィルム上に潜像が記録される。
【００８１】
ここで光学ヘッド１６の構成を、図５を参照して説明しておく。
【００８２】
図１１は光学ヘッドの構成を示す模式図である。
【００８３】
この図１１には導光板１６４の端部に配設された発光素子１６３Ｒ，１６３Ｇ，１６３Ｂの配列順序と、インスタントフィルム上に光点となって照射されるＲ、Ｇ、Ｂの光の進行方向が矢印によって模式的に示されている。
【００８４】
図１１に示すように、この光学ヘッド１６は光の３原色であるＲ，Ｇ，Ｂそれぞれの発光素子１６３Ｒ，１６３Ｇ，１６３Ｂと、導光板１６４と、前述した液晶シャッタアレイ１６５と、レンズ１６６とからなる。
【００８５】
図１１に示すように、３原色の発光素子１６３Ｒ，１６３Ｇ，１６３Ｂそれぞれが導光板１６４の端部に配設されており、それらの発光素子で発光された光がその導光板１６４によってインスタントフィルム１００１側に導かれる。このインスタントフィルムシート１００１側に導かれた光の進路が導光板１６４によって変更され、インスタントフィルムシート１００１上に照射される。この照射された光は液晶シャッタアレイ１６５の各シャッタを通り、その先にあるセルフォックレンズ（登録商標）１６６を通ってインスタンフィルム１００１まで達する。このように液晶シャッタアレイ１６５の各シャッタによって光量が調節された光が、セルフォックレンズによってインスタントフィルム上に収束されて焦点のあった光点がインスタントフィルム上に多数記録される。ここでは４８０素子の液晶シャッタアレイを用いて画像データに応じて各シャッタのシャッタスピードを制御することで画像データに応じた階調を持つ４８０の光点がインスタントフィルム上に記録される。これが副走査方向にも６４０ライン分記録され、４８０×６４０（ＶＧＡサイズ）の光点がインスタントフィルム上に潜像として記録される。この潜像は、Ｒ，Ｇ，Ｂの３色の光をレンズ１６６によって同一の光点に記録させたカラー画像を表わす潜像である。
【００８６】
これら光学ヘッド１６、展開ローラ１７ｂ、ステッピングモータ１６２ａを駆動する構成ブロック図１２を参照して、動作を説明する。
【００８７】
図１２に示すように、このＣＰＵ１８０にはこのプリンタ１の電源がオフされてもこのプリンタ１の制御を行なえるように、電池１ｂから電力が直接供給されている。他に電源部１８１と展開モータドライバ１７ａには電池１ｂから電力が直接供給されているが、電源部１８１、展開モータドライバ１７ａはＣＰＵ１８０からの指示がない限り動作しないので電力が消費されない。また、画像処理部１８２、ステッピングモータ１６２１ａ、印刷処理部１８３、揮発性メモリであるＲＡＭ１８４、不揮発性メモリであるＦＬＡＳＨＭＥＭＯＲＹ１８５、画像処理部１８２内の外部ＩＦ１８２１への電力供給は電源部１８１を介して行なわれ、この電源部１８１がＣＰＵ１８０により制御され、ＣＰＵ１８０の指示がない限り、各部には電力が供給されない。図１２には電池１ｂから電力を直接供給する電源線、および電池１ｂから電源部１８１を介して電力を供給する電源線がそれぞれ太線で示されている。なお、図１２には点線で制御線と検出線もそれぞれ示してある。
【００８８】
このようにＣＰＵ１８０により電源部１８１の出力のオンオフを制御することによって電力消費が抑えられ、電池１ｂの長寿命化が図られる。前述したようにこのプリンタ１の電池装填室１０ａに電池１ｂが装填されると、その電池１ｂで長期に渡ってこのプリンタが使用される。
【００８９】
また、ＣＰＵ１８０には図７に示した各種スイッチ１０が接続されており、これらの各種スイッチ１０の操作に応じて各部の制御を行なう。この各種スイッチのうち、電源ＳＷ１１が投入された後、赤外線通信またはＵＳＢ通信により画像データが外部から送られ、このプリンタが画像データを取得したときには各種スイッチ１０のプリントＳＷ１２の操作に拠らずこのＣＰＵ１８０の制御の基に画像の記録が行なわれる。
【００９０】
このＣＰＵ１８０には、光学ヘッド１６の温度を検出する温度センサ１８０Ａと、光学ヘッド１６の記録開始位置を検出する原点センサ１８０Ｂと、光学ヘッド１６の終端位置を検出する終端センサ１８０Ｃからの検出信号が供給されており、ＣＰＵ１８０では温度センサ１８０Ａからの検出信号に応じて光学ヘッド１７内の各シャッタのシャッタスピードを印刷制御部１８３に制御させるとともに、光学ヘッド１７を副走査方向に移動させるときの移動開始位置と、終端位置とをそれぞれ原点センサと終端センサにより検出して、印刷制御部１８３にステッピングモータ１６２ａを制御させている。
【００９１】
ここで、電源ＳＷ１１が投入された後、外部から画像データが送信されてきたときに、ＣＰＵ１８０がどのような動作を各部に行わせるかを説明する。
【００９２】
赤外線通信により画像データが外部からこのプリンタ１に送られてきたときには、外部Ｉ／Ｆ１８２１を有する画像処理部１８２がその赤外線を送受光素子１５によって受光したときにＣＰＵ１８０に対し受信有りの信号を出力する。ＣＰＵはこの信号を受けて画像処理部１８２にＲＡＭ１８４とＦＬＡＳＨＭＥＭＯＲＹ１８５双方の画像データの消去を行なわせる。さらに、画像処理部１８２に新たな画像データの受信を行なわせ、その受信した画像データを、バスを介してＲＡＭ１８４に記憶させる。このＣＰＵ１８０と画像処理部１８２とＲＡＭ１８４とが本発明にいう受信部に当たる。
【００９３】
ＣＰＵ１８０は，この受信部に外部からの画像データを受信させたら、そのＲＡＭ１８４に格納されている画像データを画像処理部１８２に読み出させ、その画像処理部１８２でプリントデータを生成させる。なお、このプリントデータとは画像処理部で適当な処理を施し、光学ヘッド１７の各シャッタのシャッタスピードを制御することができるようになったデータを指しており、上記受信部により受信された画像データとは異なる。以降の説明においては、双方のデータを区別するため、プリントデータに対し、上記受信部により受信され、ＲＡＭに格納された画像データをプリント前データと呼ぶ。
【００９４】
ＣＰＵ１８０は、このプリントデータを画像処理部１８２に生成させたら、画像処理部１８２にそのプリントデータの転送を行なわせ、印刷制御部１８３に各シャッタのシャッタスピードの制御を行なわせる。そうすると、そのプリントデータに応じて、主走査方向に配列されている各シャッタの開口時間つまりシャッタスピードが制御され、各シャッタを通過するＲ，Ｇ，Ｂ３色の光量がそれぞれ調節される。さらに印刷制御部１８３に、ステッピングモータドライバ１６２１ａを制御させ、ステッピングモータ１６２ａにより光学ヘッド１６を副走査方向に走査させ、その走査の度にプリントデータに応じて各シャッタのシャッタスピードを、印刷制御部１８３に制御させ、副走査方向の各光点の光量をそれぞれ調節させる。このようにしてすべての光点の光量を調節させ、それらの光点の集まりからなる画像を表わす潜像をインスタントフィルム上に記録させる。このようにインスタントフィルム上に潜像を記録させた後、ＣＰＵ１８０は電源部１８１の出力をオフさせ、展開モータドライバ１７ａにより展開モータ１７を駆動させる。
【００９５】
この展開モータ１７により展開ローラを回転させ、インスタントフィルムを挟み込ませながら、現像液をインスタントフィルム全体に展開させ、潜像を顕像化させてインスタントフィルムをプリンタ外部へと排出させる。
【００９６】
以上が、電源ＳＷ１１により電源が投入された後、赤外線通信またはＵＳＢ通信により画像データが送られてきたときにＣＰＵ１８０が各部に行なわせる処理である。
【００９７】
次に、プリントＳＷ１２が操作されたときにＣＰＵ１８０が各部に行なわせる処理を説明する。
【００９８】
プリントＳＷ１２が操作されたことを受けて、ＣＰＵ１８０は画像処理部１８２にＲＡＭ１８４に格納されている画像データの読み出しを行なわせる。この読み出した画像データに基づいて画像処理部１８２にプリントデータを生成させ、印刷処理部１８３へ転送させる。印刷処理部１８３ではそのプリントデータに基づき、光学ヘッド１７の各シャッタを制御してインスタントフィルム上に照射される光量をそれぞれ調節させる。この各光点の光量をそれぞれ調節させることによってインスタントフィルム上に画像データに応じた光量が照射され、画像データに応じた潜像が記録される。
【００９９】
ＣＰＵ１８０は、この潜像の記録が終了したことを終端センサ１８０Ｃの検出信号の変化により検出して、ＣＰＵ１８０から電源部１８１に電源部１８１の出力をオフさせる指示を出すとともに、展開モータドライバ１７ａに展開モータ１７の駆動指示を出す。
【０１００】
展開モータ１７によりインスタントフィルムを展開ローラ側に送り出させるための爪（図示せず）を駆動させ、インスタントフィルムを展開ローラ側に送り出させ、さらに展開ローラにインスタントフィルムを挟持させ、インスタントフィルムをプリンタ外部へと排出させる。この展開ローラに挟持させることにより、インスタントフィルム内に充填されていた現像剤をインスタントフィルム全体に展開させ、潜像を顕像化させる。
【０１０１】
このようにしてプリントＳＷ１２が操作されたときには、ＲＡＭ１８４内に格納されている画像データに基づく画像がインスタントフィルム上に記録される。
【０１０２】
また、このプリントＳＷの操作は電源が遮断された後でも行われることがもあるので、本実施形態のプリンタでは、画像データの退避、復帰という処理を行なえるように不揮発性メモリが配備されている。
【０１０３】
そこでこの不揮発性メモリを使用して、電源ＳＷ１１により電源が遮断されたとき、あるいは本実施形態のプリンタが有するオートパワーオフ機能が働いたときには、ＲＡＭ１８４内の画像データの不揮発メモリへの転送を画像処理部１８２に行なわせ、ＲＡＭ１８４にあった画像データの退避を行なわせている。
【０１０４】
また、電源ＳＷ１１が再投入されたときに、画像処理部１８２にその不揮発性のＦＬＡＳＨＭＥＭＯＲＹ１８５に格納されている画像データの転送を行なわせ、そのＦＬＡＳＨＭＥＭＯＲＹ１８５内にあった画像データをＲＡＭ１８４に復帰させている。
【０１０５】
さらに、一度画像の記録を行なってから、時間があまり経過しすぎると、画像データが古くなりすぎ、ユーザが誤ってプリントＳＷ１２を操作してしまった場合に不要な画像が記録されてしまうことも予想される。このようなことが起こると、インスタントフィルムシートが無駄遣いされてしまうので、ＣＰＵ１８０は、タイマにより所定時間経過した後は、印刷処理部に記録処理を行なわせないようにしている。
【０１０６】
ここでは、再記録禁止の処理として、ＲＡＭ１８４とＦＬＡＳＨＭＥＭＯＲＹ１８５双方の画像データを残して、表示により記録すべき画像がないということをユーザに知らせている。なお、ＣＰＵ内のタイマにより所定時間を計時しているので、その計時された時間を判定基準にして揮発性メモリ、不揮発性メモリ内の画像データをＣＰＵ１８０または画像処理部１８２とに消去させ、画像ＥＭＰＴＹをＬＣＤパネル上に表示させても良い。
【０１０７】
この画像データの退避、復帰、消去、プリントＳＷの操作を無効にするといった処理をＣＰＵ１８０がどのように行なっているかを、以降のフローチャートを参照しながら随時説明する。
【０１０８】
図１３は、ＣＰＵ１８０が行なう処理の手順を示すフローチャートである。
【０１０９】
図１３にはメインプロセスが示されている。
【０１１０】
図１４から図２０および図２３、図２４にはメインプロセスの各ステップの処理の詳細が示されている。
【０１１１】
まず、図１３を参照してＣＰＵ１８０で行なわれるメインルーチンの処理を説明する。
【０１１２】
電池１ｂが投入されたら、まずステップ７０１で各部の初期設定を行なう。この初期設定によってＣＰＵ１８０に供給されるクロックの発振周波数の設定を行なう。このＣＰＵ１８０は、低消費電力モードを有しており、この低消費電力モードのときには遅いクロックで動作する。次のステップＳ７０２でＦＬＡＳＨＭＥＭＯＲＹ１８５内の画像データの削除を行なう。ここでは例えば出荷前の検査用の画像データがＦＬＡＳＨＭＥＭＯＲＹ１８５内に残っていると困るので画像処理部に画像データの消去を行なわせている。
【０１１３】
ステップＳ７０３で、電源ＳＷ１１が投入されるのを待ち受け、電源ＳＷ１３が投入されたら、ステップＳ７０４で電源ＯＮ処理を行なう。この電源ＯＮ処理ではＬＣＤパネル上にメニューを表示したり、クロックのスピードを速めてＣＰＵ１８０の処理速度を上げることを行なう。
【０１１４】
次のステップＳ７０５で、ＣＰＵ１８０側に入力される信号の状態が遷移するのを待ち受ける待ち受け状態に移行する。
【０１１５】
ここでは、ＣＰＵ１８０が、このＣＰＵ１８０に入力される状態の遷移を監視する項目として、プリントＳＷ１２、あるいはプリントデータ補正ＳＷ１３が操作され、ＯＮ側に切り替えられること、画像データが外部ＩＦ１８２１で受信され、受信信号が検出されること、電源ＳＷ１１がオフ側に切り替えられること、本実施形態のプリンタが有するオートパワーオフ機能が働くことを掲げている。
【０１１６】
ＣＰＵ１８０は、これらの入力の状態のいずれかが遷移したと判定したら、その遷移した状態に対応する処理を各部に行なわせる。
【０１１７】
まずステップＳ７０６で、プリントデータ補正ＳＷがＯＮ側に操作されたことを受けて、画像処理部内のプリントデータ補正ＳＷ処理プロセスを起動し、プリントデータ補正ＳＷの操作内容に応じた画像データの補正係数を画像データに設定させ、また待ち受け状態に戻る。
【０１１８】
また、携帯電話から画像データが送信され、外部ＩＦ１８２１が画像データの受信を検出したことを受けて、ステップＳ７０７で画像処理部１８２内の赤外線通信プロセスを起動し、画像処理部１８２内の外部ＩＦ１８２１とＲＡＭ１８４とからなる画像取得部によって画像データを取得する。この画像取得部により画像データを取得したら、ステップＳ７１３からステップＳ７１５で各処理を行なわせてインスタントフィルムを外部に排出させる。ステップＳ７０８でＵＳＢ通信により画像データを取得したときにもこのステップＳ７０７と同様の処理が行なわれる。
【０１１９】
次に、プリントＳＷ１２が操作されＯＮ側に切り替えられた場合には、ステップＳ７０９でＣＰＵ内のタイマ値を参照してタイムオーバだったら、ステップＳ７０５の待ち受け状態に戻る。またタイマ値を参照して所定の時間以内だったら、ステップＳ７１０へ移行しプリントデータＲＡＭ展開処理を行なって、ＲＡＭに画像データを復帰させ、画像データに基づく画像の記録処理をステップＳ７１３からステップＳ７１５で行なわせる。この実施形態では、このプリントＳＷ１２が操作されＯＮ側に切り替えられたことを出力操作指示として、出力指示取得部であるＣＰＵ１８０にその出力操作指示を受けさせ、画像の記録処理を行なわせている。
【０１２０】
さらに、電源ＳＷ１１がｏｆｆ側に切り替えられるか、またはオートパワー機能が働いた場合には、ＣＰＵ１８０内の電源ｏｆｆ処理プロセスを起動し、ＣＰＵ内１８０のタイマ値を参照して、そのタイマ値が所定の時間以内であることを検知したら、上記画像転送部に当たる画像処理部１８２にＲＡＭ１８４に格納されている画像データの転送を行なわせ、ＦＬＡＳＨＭＥＭＯＲＹ１８５に画像データを退避させる。その後、各部の電源ｏｆｆ処理を行なって、メインルーチンへ戻る。
【０１２１】
この実施形態では、この電源ＳＷ１１がｏｆｆ側に切り替えられるか、またはオートパワーオフ機能が働いたことを電源の遮断指示としてＣＰＵ１８０にその電源の遮断指示を受けさせ、その遮断指示に応じて遮断処理を行なわせている。
【０１２２】
ここでＣＰＵの監視項目であるいずれかの状態の遷移が起こったときに起動される各プロセスを詳細に説明する。
【０１２３】
図１４はＣＰＵ１８０が行なう待ち受け処理の詳細を示すフローチャートである。
【０１２４】
このフローは繰り返し実行されており、いずれかの状態が変化したらその状態に対応するいずれかのプロセスが起動される。
【０１２５】
まず、ステップＳ８０１で、赤外線通信、ＵＳＢ通信により画像データが送信されてきたかどうかの待ち受けを行なうに当たり、外部ＩＦをＯＮさせる。
【０１２６】
ステップＳ８０２からステップＳ８０７で、図１３のフローチャートのステップＳ７０５からステップＳ７１０に対応する待ちうけ制御を行なう。
【０１２７】
ステップＳ８０２で上記監視項目の１つとして掲げたプリントＳＷ１１のＯＮ側への遷移が検出される。このステップＳ８０２でプリントＳＷ１１の操作が検出されたら、ステップＳ８０８へ進み、タイマ値を判定する。このタイマは図１３のステップＳ７１３でプリント処理プロセスが起動してインスタントフィルムの排出が完了した後スタートするものであって、このタイマ値が所定の時間以上になってタイムオーバになっていたらステップＳ８０２へ戻る。このステップＳ８０２で所定の時間以内であることを検知したら、ステップＳ８０９でＲＡＭ展開処理プロセスにジャンプしてＲＡＭ展開処理プロセスを起動する。前述したようにプリントＳＷが操作されたときには、画像の再記録が行なわれるので、時間が経過している場合にはそのプリントＳＷの操作が誤操作である可能性もある。そこで、ステップＳ８０８でタイマ値を検出してから、プリントデータＲＡＭ展開処理へ進めている。このＣＰＵ内のタイマによる判定ステップが本発明にいう再記録禁止部の一部に当たる。ここでは、このタイマの判定結果に応じて、待ち受け状態に戻して、ＲＡＭの展開処理を画像処理部に行なわせずに再記録を禁止している。なお、この判定結果に基づいて、図１３のステップＳ７０２へ戻り、ＦＬＡＳＨＭＥＭＯＲＹ、ＲＡＭ内の画像データを消去する部分に戻り、待ち受け状態にスキップさせても良い。
【０１２８】
次のステップＳ８０３でプリントデータ補正ＳＷが操作されＯＮ側に切り替られたことを検出したら、プリントデータ補正ＳＷ処理プロセスへジャンプしてステップＳ８１０で画像処理部１８２内のプリントデータ補正ＳＷ処理プロセスを起動する。前述したようにプリントデータ補正ＳＷ１３は、画像の濃淡を調節するものであるので、このプリントデータ補正ＳＷ１３が操作されたら、プリントデータ補正ＳＷプロセスを起動して、画像処理部１８２に画像データを補正するための補正係数の設定を行なわせる。
【０１２９】
次のステップＳ８０４で外部ＩＦからの検出信号に基づいて赤外線通信要求があることをＣＰＵ１８０が検出したら、ステップＳ８１１で赤外通信処理プロセスへジャンプして赤外線通信処理プロセスを起動する。例えば携帯電話からプリンタの受光部１５に向かって赤外線により画像データが送信されると、送受光素子１５を経由して画像処理部１８２内の外部ＩＦ１８２１に画像データが供給され、この外部ＩＦから受信有という検出信号が出力される。そこでこの検出信号を以って赤外線通信要求として赤外通信処理プロセスを起動する。
【０１３０】
次のステップＳ８０５もステップＳ８０４と同様でＵＳＢ通信によって画像データが送信されてきたことを外部ＩＦで受け、受信有という信号がその外部ＩＦを有する画像処理部１８２から出力されたことを以ってＵＳＢ通信処理プロセスを起動して画像処理部１８２内の外部ＩＦ１８２１により画像データを受信させる。
【０１３１】
上記ステップＳ８０４とステップＳ８０５で画像データが取得された場合には、プリンタＳＷの操作を待たずに、すぐに画像記録部によりインスタントフィルム上に潜像が記録され、展開ローラによりインスタントフィルムを展開させながら顕像化されたインスタントフィルムをこのプリンタ外部へと排出させる。
【０１３２】
またステップＳ８０６では、電源ＳＷ１１がオフに切り替えられたことを以って、ステップＳ８１３でＣＰＵ１８０内の電源ｏｆｆ処理プロセスを起動する。
【０１３３】
またステップＳ８０７ではタイマによりタイムアウトが検知されオートパワーオフ機能が働いたことを以ってステップＳ８１４でオートｏｆｆ処理プロセスを起動する。
【０１３４】
このように、いずれかの入力状態が変化したら、いずれかのプロセスが起動される。
【０１３５】
ここで図１４の各ステップＳ８０２〜Ｓ８０７の処理の詳細を説明する。
【０１３６】
図１５は図１４のステップＳ８０９の処理手順を示すフローチャートである。
【０１３７】
まず、プリントＳＷが操作され、タイマ値が所定の時間以内であったら、ステップＳ９０１で赤外線通信、ＵＳＢ通信の送受信部を有する外部ＩＦの電源をＯｆｆして新規の画像データの受付を拒否する。
【０１３８】
ステップＳ９０２でＲＡＭ上にプリントデータがあるかどうかを画像処理部１８２に判定させ、ＲＡＭ１８４に画像データがあったらＹｅｓ側に進み、メインルーチンに戻って記録処理へ進む。このステップＳ９０２でＲＡＭ１８４上に画像データがなかったらＮｏ側に進み、画像処理部１８２にＦＬＡＳＨＭＥＭＯＲＹ１８５からＲＡＭ１８４上への画像データの転送を行なわせる。この画像データの中にはプリントデータ補正ＳＷ１３の操作内容も書き込まれているので、次のステップＳ９０４で、その画像データの中からプリントデータ補正ＳＷ１３の操作内容をＣＰＵ１８０が受け取り、ＬＣＤパネル１４上にその情報を表示する。そしてメインプロセスに戻り、記録処理へと進む。
【０１３９】
図１６は、図１４のステップＳ８１０の処理手順を示すフローチャートである。
【０１４０】
このステップの処理は画像処理部内の画像処理プロセスの中で行なわれる。
【０１４１】
プリント補正ＳＷ１３がＯＮ側に切り替えられたことをＣＰＵ１８０で検出して、その検出した内容を画像処理部１８２に伝えて画像処理部１８２にプリントデータ補正用の内部係数を設定させる。このプリントデータ補正ＳＷ１３は通常ＮＯＲＭＡＬ状態にあるものが、１回押されるとＤＡＲＫ（暗いトーン）、もう１回押されるとＬＩＧＨＴ（明るいトーン）、さらにもう１回押されるとまたＮＯＲＭＡＬに戻るといったようにトグル動作を行なう。そこでＣＰＵ１８０ではこのトグル操作の操作内容を判読して、画像処理部１８２にその内容を伝え、ステップＳ１００１で内部係数を変更させ画像データに設定させるとともに、次のステップＳ１００２でＬＣＤパネル１４上にプリントデータ補正ＳＷ１３の操作内容（Ｎ→Ｄ→Ｌなど）を表示する。このプロセスの処理を終了してメインプロセスに戻る。
【０１４２】
図１７は、赤外線通信処理プロセスを示すフローチャートである。
【０１４３】
外部ＩＦを通じて赤外通信要求があった場合、古い画像データが必要なくなるので、ステップＳ１１０１でＦＬＡＳＨＭＥＭＯＲＹ１８５とＲＡＭ１８４に古い画像データがあったら画像処理部１８２にその古い画像データを消去させる。つまり画像データ取得部により外部からの新たな画像データの取得が開始されたことを受けて、不揮発性メモリであるＦＬＡＳＨＭＥＭＯＲＹ１８５に格納されている画像データと、揮発性メモリであるＲＡＭ１８４に格納されている画像データとの双方をＣＰＵ１８０と画像処理部１８２によって消去する。
【０１４４】
次のステップＳ１１０２で携帯電話とプリントＳＷの間で通信を行うに当たり、外部ＩＦに携帯電話と必要な情報交換を行なわせ、赤外線通信を行なえるように通信速度などの通信条件を交渉させ、この交渉が締結したらネゴシエーションが確立したとして次のステップＳ１１０３で通信速度の変更を外部ＩＦ１８２１に行なわせる。次のステップＳ１１０４で画像処理部１８２に画像データの受信を行なわせその受信した画像データをＲＡＭ１８４に書き込ませる。
【０１４５】
ステップＳ１１０５で画像データを最後まで受信してＲＡＭ１８４に書き込ませたかどうかを判定し、途中だったらＮｏ側へ進み、最後まで画像データの受信を外部ＩＦ１８２１に行なわせ、画像データを最後まで受信してＲＡＭ１８４に画像データを書き込ませたら、ステップＳ１１０５でＹｅｓ側に進み、電源部１８１の出力のうち、外部ＩＦ１８２１への電力供給をオフさせ、メインプロセスに戻る。ステップＳ１１０５で画像処理部１８２のプロセスでデータの受信に失敗したことがＣＰＵ１８０側に出力されたら、ＣＰＵ１８０はこのプロセスを直ちに終了させ、メインプロセスへ戻る。
【０１４６】
図１８は、ＵＳＢ通信処理プロセスのフローチャートである。
【０１４７】
ＵＳＢ通信により画像データが送信されてきたときにはこのフローにしたがって処理を行なうが、赤外通信の処理と同様の処理を行なう。
【０１４８】
図１９は電源ｏｆｆおよびオートｏｆｆ処理プロセスのフローチャートである。このプロセスも、ＣＰＵ１８０と画像処理部１８２とからなる画像転送部が行なうものである。
【０１４９】
まず、ステップＳ１３０１で、１つ前の画像の記録が行なわれたときに起動されたタイマ値を参照する。ここでタイムアウトだったら、ＲＡＭ１８４の画像データをＦＬＡＳＨＭＥＭＯＲＹ１８５へ退避させずにステップＳ１３０７でＦＬＡＳＨＭＥＭＯＲＹ１８５の画像データを消去し、ステップＳ１３０３へ移行する。またステップＳ１３０１でタイマ値が所定の時間以内であったら、ステップＳ１３０２へ移行し、ステップＳ１３０２でＦＬＡＳＨＭＥＭＯＲＹ１８５への画像データの転送を画像処理部１８２に行なわせ、画像データを退避させる。こうしておくと、所定の時間以内であれば電源ＳＷ１１が再投入されたときに画像の再記録をすぐに行なえる。また古い画像データを電源の遮断処理時に消去することもできる。
【０１５０】
ここではＦＬＡＳＨＭＥＭＯＲＹ１８５の容量をなるべく小さくしたいので、プリント前データをＦＬＡＳＨＭＥＭＯＲＹ１８５に退避させているが、ＦＬＡＳＨＭＥＭＯＲＹ１８５の容量が充分にあれば、画像処理後のプリントデータをＦＬＡＳＨＭＥＭＯＲＹ１８５に退避させても良い。画像処理後のプリントデータを退避させておくと、ＲＡＭ１８４に復帰させるべく画像データをＦＬＡＳＨＭＥＭＯＲＹからＲＡＭに転送した後、ステップＳ７０９のプリント前処理プロセスが省かれ、プリント処理プロセスをいち早く起動させることができる。
【０１５１】
次のステップＳ１３０４で画像処理部１８２内の外部ＩＦ１８２１への電力供給を電源部１８１に停止させ、赤外線通信機能とＵＳＢ通信機能をオフさせる。ステップＳ１３０４で電源部１８１に画像処理部１８２への電力供給も停止をオフさせる。
【０１５２】
次のステップＳ１３０５でＬＣＤパネルを消灯させ、ステップＳ１３０６でＣＰＵを低消費電力モードにしてメインルーチンに戻る。
【０１５３】
これらの待ち受け処理のうち、赤外通信処理プロセス、ＲＡＭ展開処理プロセスが起動された後、図１３のフローチャートのステップＳ７１３からＳ７１５までの処理が行なわれるので、図１３のステップＳ７１３、Ｓ７１４、Ｓ７１５の処理の詳細を説明する。
【０１５４】
図２０はステップＳ７１３のプリント前処理プロセスのフローチャート、図２３はステップＳ７１４のプリントデータ処理のフローチャート、図２４はステップＳ７１５のフィルム排出処理のフローチャートである。
【０１５５】
まず画像処理部が行なうプリント前処理を、図２０を用いて説明する。
【０１５６】
携帯電話から送信され、受信したデータがどのような画像データであるかが分からないので、このフローではこのプリンタで画像の記録を行なうために必要な処理を行なう。
【０１５７】
ステップＳ１４０１で非圧縮データであるかどうかを判定する。ここで非圧縮データであれば画像データの伸張を行なう必要がないので、Ｙｅｓ側に進み、次のステップＳ１４０２へ移行する。ここで画像データが圧縮データであったらＮｏ側に進みステップＳ１４０３で圧縮データの伸張処理を画像処理部に行なわせる。次のステップＳ１４０２で、このプリンタ１での画像の記録に適した解像度であるかどうかを判定する。このプリンタ１に適した解像度である場合（例えばＶＧＡである場合）には、Ｙｅｓ側に進み、次のステップＳ１４０５へと移行する。このプリンタ１に適した解像度でない場合（例えば縦横比が異なる場合、ここではｉｓｈｏｔＬ、あるいは１メガの場合）にはＮｏ側に進み、ステップＳ１４０４で解像度の変換を画像処理部に行なわせる。このときには後述する画面サイズとプリントサイズをあわせる処理が行なわれ、ｉｓｈｏｔＬサイズである場合には、１．４〜１．８倍の拡大処理が行なわれる。また、１メガサイズの場合には間引き処理が行なわれ、縮小が行なわれる。前述したように、画素数から通信に要する時間を短縮化させるため、ｉｓｈｏｔＬが初期データとして設定されているので、短時間のうちに画像データを取得し、このステップで解像度変化が行なわれ、画像のプリントが行なわれる。この１．４〜１．８倍程度の拡大であれば、さほど画質が劣化することなく、また通信に要する時間が短いので、迅速に画像のプリントが行なわれる。
【０１５８】
次のステップＳ１４０５でプリントデータ補正ＳＷが操作されていないかどうかを判定する。この画像データにプリントデータ補正ＳＷが操作されていない場合には、Ｙｅｓ側に進み、次のステップＳ１４０７へと移行する。ここでプリントデータ補正ＳＷにより画像データに補正が施されている場合には、次のステップＳ１４０８でプリントデータ補正処理を行なう。図１４には、輝度データＹにオフセット調整（±Ａ）を行なった場合の変換例が示されている。
【０１５９】
そして次のステップＳ１４０７で画像の記録に適した色空間であるかどうかを判定する。ステップＳ１４０７で適さないと判定されたらＮｏ側に進み、輝度データＹおよびクロマデータＣからなる表示用画像信号（ＹＣ信号）である場合には、ステップＳ１４０８でＹＣ信号をＲＧＢ信号に変換する。そしてＲＧＢ信号からなるプリントデータを生成する。
【０１６０】
このプリントデータが画像処理部で生成されたら、印刷処理部にプリントデータが転送され、印刷処理部で画像の記録処理が行なわれる。
【０１６１】
ここで画像処理部の解像度変換の処理の概要を説明する。
【０１６２】
図２２は携帯電話の画面サイズとプリンタのプリントサイズの違いを示す図である。
【０１６３】
前述したように、プリントサイズはＶＧＡサイズに決められており、画面サイズはｉｓｈｏｔＬ、ＶＧＡサイズ、１ＭＥＧＡサイズの３種類がある。
【０１６４】
図２２に示す枠がＶＧＡサイズを示しており、画素数にして４８０×６４０の画素数を持つ。この横方向の画素数４８０をｘとし、縦方向の画素数６４０をｙとする。そうすると、図の中央にの実線枠で示すように、携帯電話機側で初期設定されているｉｓｈｏｔＬの画面サイズの画素数はｘ／２、ｙ／２になる。この画面サイズはＱＶＧＡと呼ばれており、ＶＧＡに比べ、画像の縦横それぞれについて０．５倍の画素数になっている。このように縦横それぞれ０．５倍の画素数であれば、ＶＧＡサイズ内の画素数を送信するよりも高速の通信速度を確保しつつプリント出力された画面の荒れを目立たないレベルに拡大処理することができる。点線で示した部分が、拡大された画像がプリントされる領域である。
【０１６５】
ここでは、画像データを、画像の縦横それぞれの画素数を１．４倍以上１．８倍以下の範囲内のいずれかの倍率の画像データに変換している。
【０１６６】
例えばｉｓｈｏｔＳ（１２０×１２０）の画面サイズのデータが送信されてくると、画素数がプリントサイズであるＶＧＡサイズの１／２未満になり、プリント面の例えば中央の一部にのみ画像がプリント出力された印象となってしまう。この１／２未満の画像データを１．８倍以上の倍率で拡大処理するとプリント出力された画像に荒れが目立つようになってしまう。そこで、本実施形態の撮影プリントシステムではｉｓｈｏｔＳの画面サイズの選択を禁止している。
【０１６７】
そこで、１．４倍以上１．８倍以下の範囲内の倍率に画像データに変更することにより荒れの少ない高品質の画像をプリント出力している。
【０１６８】
図２２は、プリント面の領域を示す図である。
【０１６９】
図２２に示すように、ｉｓｈｏｔＬサイズを１．４〜１．８倍まで拡大する領域が画質が保証される領域である。
【０１７０】
最小倍率１．４の場合には、縦横のサイズがＶＧＡサイズｘ×ｙを基準にして（ｘ／２×１．４）×（ｙ／２×１．４）になる。このサイズの外側は余白になるが、写真としてみれば、中央のプリント面に画質の良い画像が程よく拡大されてプリントされて鮮明な写真になる。
【０１７１】
また、最大倍率１．８の場合には、ほぼプリント面いっぱいに拡大され、点線で示す範囲内に画像がプリントされ、最小倍率の写真が少しズームされた写真になる。どちらにしても荒れの少ない高品質の画像がプリント出力される。
【０１７２】
また、ＶＧＡサイズならばプリント面いっぱいにプリントが行なわれ、１メガサイズならば間引いて画素データを減らし、ＶＧＡサイズに合わせてプリントが行なわれる。この場合には、拡大する訳ではないので、高い品質の画像がプリント出力される。
【０１７３】
図２３は印刷処理部のプリント処理プロセスのフローチャートである。
【０１７４】
ステップＳ１５０１でまず、印刷処理部にステッピングモータ１６２１ａと光学ヘッド１６への電力供給を行なわせ、次のステップＳ１５０２で印刷処理部１８３にステッピングモータ１６２１ａの駆動を開始させる。次のステップＳ１５０３で印刷開始タイミングであるかどうかを判定する。この印刷開始タイミングであるかどうかは、印刷処理部から各シャッタにデータを転送するタイミングを指しており、ここでは、光学ヘッド１６の位置が原点センサ１８０Ｂ側にあるかどうかを判定している。ステップＳ１５０４で、光学ヘッド１６が原点位置にあると判定したら、Ｙｅｓ側に進み、印刷処理部に光学ヘッドのシャッタ部のシャッタスピードの制御を開始させるためプリントデータの転送を開始させる。その転送されたプリントデータに応じて光学ヘッドの各シャッタのシャッタスピードを印刷制御部に制御させ、４８０ドット分の光点を記録する。この主走査方向の４８０ドット分の光点を光学ヘッドにより記録させたら、ステッピングモータを駆動させ、光学ヘッドの位置を１ライン分移動させ、次の主走査方向の１ライン分の光点を記録させる。さらに光学ヘッド１６をステッピングモータ１６２１ａにより１ライン分ずつずらして光点を次々と記録していく。
【０１７５】
次のステップＳ１５０５でプリントデータ終了かどうかを判定し、転送すべきプリントデータが印刷制御部１８３内に無かったら、Ｙｅｓ側に進み、ステップＳ１５０７へ移行する。転送すべきプリントデータがまだ印刷制御部１８３内にあったら、Ｎｏ側に進み、ステップＳ１５０６で印刷領域終了であるかどうかを判定する。ここでは画像の記録領域終了を示す終端センサ１８０Ｃの出力が変化していなかったらＮｏ側に進み、ステップＳ１５０５へと戻る。
【０１７６】
このステップＳ１５０６で終端センサの出力が変化して光学ヘッドの位置が印刷領域終了部にあると判定したら、Ｙｅｓ側に進み、ステップＳ１５０７へ移行する。
【０１７７】
ステップＳ１５０７で、印刷制御部１８３での光学ヘッド１６の制御を終了させ、プリントデータの転送を停止させる。ステップＳ１５０８で印刷制御部にステッピングモータ１６２１ａの駆動も終了させ、光学ヘッド１６への電力供給を停止させる。次のステップＳ１５１０でタイマをスタートさせ、次の画像の記録を行なうまでの時間の計時を開始する。この計時により、この画像の記録が行なわれた後、次の画像の記録が行なわれるまでの時間が計時される。このタイマでの計時結果が画像転送部および画像データ消去部に当たる画像処理部１８２に画像データの転送を行なわせるか否かまた画像データの消去を行なわせるか否かの判定基準となる。
【０１７８】
このフローの処理が終了したらインスタントフィルムの排出処理を開始させる。
【０１７９】
図２４はインスタントフィルムのフィルムの排出処理プロセスのフローチャートである。
【０１８０】
まずステップＳ１６０１で電源部１８１に出力をオフさせる。次のステップＳ１６０２で展開モータを駆動し、展開モータにより展開ローラを回転させる。次のステップＳ１６０３でフィルムの排出処理が終了したかどうかを判定する。インスタントフィルムの排出が検出されたら、展開モータの駆動を停止する。この排出の完了を検出するときには、通常の排出処理に要する時間以内（タイムアウト前）に、インスタントフィルムがプリンタ内部にないことがセンサで検出される。
【０１８１】
ここでフィルムの排出が完了し、Ｙｅｓ側に進んだら、次のステップＳ１６０４で展開モータをオフさせ、ステップＳ１６０５で赤外線通信、ＵＳＢ通信を有する外部ＩＦ１８２１への電力の供給を断つ。
【０１８２】
以上が画像データの画像の記録に係るプロセスである。
【０１８３】
このように携帯電話から画像データを赤外線通信により送信して画像のプリントを行なえる。この赤外線通信により画像データをプリンタに送信しているときに、画像データ送信の失敗があったときには、転送しようとしていた画像の点滅表示が行なわれたり、失敗の文字の合成表示が行なわれたりするので、ユーザによって送信の失敗であることが一目で分かる。そうすると、携帯電話をしっかりと向かい合わせて画像データの送信を行なう際、慎重になり、確実に画像データが転送される率が上がる。
【０１８４】
なお本実施形態では記録媒体としてインスタントフィルムを例にとり、そのインスタントフィルムに画像の記録を行なうプリンタを挙げたが、普通紙を記録媒体としてその普通紙に記録を行なうプリンタであっても良い。
【０１８５】
【発明の効果】
以上、説明したように、本発明のカメラによれば、送信したはずの画像データに基づく画像がプリントされないことをユーザに伝える撮影装置を提供することができる。
【図面の簡単な説明】
【図１】本発明の撮影プリントシステムを構成する撮影装置の一実施形態が組み込まれた携帯電話機の表面を示す斜視図である。
【図２】本発明の撮影プリントシステムを構成する撮影装置の一実施形態が組み込まれた携帯電話機の裏面を示す斜視図である。
【図３】図１、図２に外観を示す携帯電話の内部構成を示すブロック図である。
【図４】撮影プリントプログラムの撮影時の処理を表示画面２１１上への表示態様の形式で示すフローチャートである。
【図５】撮影プリントプログラムのプリント時の処理を表示画面２１１上への表示態様の形式で示すフローチャートである。
【図６】撮影プリントプログラムの編集時の処理を表示画面２１１上への表示態様の形式で示すフローチャートである。
【図７】本発明の実施形態であるプリンタを斜め上方から見た斜視図である。
【図８】プリンタ内部に装填されたインスタントフィルムがプリンタ外部に排出されるときの状態を示す図である。
【図９】本発明の実施形態であるプリンタの背面を斜め上方から見た斜視図である。
【図１０】図７のプリンタの表面カバーを取り外し、前方斜め上方からそのプリンタ内部を見た図である。
【図１１】図８に示した光学ヘッドの構成を示す模式図である。
【図１２】プリンタの内部構成を示す構成ブロック図である。
【図１３】図１２のＣＰＵが行なう処理手順を示すフローチャートである。
【図１４】図１３のステップの待ち受け処理の手順を示すフローチャートである。
【図１５】図１２、図１３のステップに示すプリントデータプリントデータ補正ＳＷ処理プロセスの手順を示すフローチャートである。
【図１６】図１２、図１３のステップに示す赤外線通信処理プロセスの処理手順を示すフローチャートである。
【図１７】図１２、図１３のステップに示すシリアル通信処理プロセスの処理手順を示すフローチャートである。
【図１８】図１２、図１３のステップに示すプリントデータＲＡＭ展開処理プロセスの処理手順を示すフローチャートである。
【図１９】図１２、図１３のステップに示すプリントデータ電源ｏｆｆ処理プロセスおよびオートｏｆｆ処理プロセスの処理手順を示すフローチャートである。
【図２０】図１３のステップに示すプリント前処理プロセスの処理手順を示すフローチャートである。
【図２１】図２０のステップの解像度変換の概要を説明する図である。
【図２２】図２０のステップの解像度変換の概要を説明するもう１つの図である。
【図２３】図１３のステップに示すプリント処理プロセスの処理手順を示すフローチャートである。
【図２４】図１３のステップに示すプリント排出処理プロセスの処理手順を示すフローチャートである。
【符号の説明】
１  プリンタ
１ａ  筐体
１０ａ  電池装填室
１ｂ  電池
１００ａ    フィルム装填室
１０１ａ    フィルムドア
１０１１ａ  １０１２ａ    バネ部材
１００    インスタントフィルムパック
１００１    インスタントフィルムシート
１０    各種スイッチ
１１    電源ＳＷ
１２    プリントＳＷ
１３    プリントデータ補正ＳＷ
１４    ＬＣＤパネル
１５    受光部
１６    光学ヘッド
１６１    ラック部材
１６１ａ    リードスクリュー
１６１１ａ    ガイド棒
１６２ａ    ステッピングモータ
１６２１ａ    ステッピングモータドライバ
１６３Ｒ  １６３Ｇ  １６３Ｂ    発光素子
１６４    導光板
１６５    液晶シャッタアレイ
１６６    セルフォックレンズ（登録商標）
１７    展開モータ
１７ａ    展開モータドライバ
１７ｂ    展開ローラ
１８０    ＣＰＵ
１８０Ａ    温度センサ
１８０Ｂ    原点センサ
１８０Ｃ    終端センサ
１８１    電源部
１８２    画像処理部
１８２１    外部Ｉ／Ｆ
１８３    印刷処理部
１８４    ＲＡＭ
１８５    ＦＬＡＳＨＭＥＭＯＲＹ
２００    携帯電話
２１０    上部
２１１    表示画面
２１２    送話口
２１３    アンテナ
２２０    下部
２２１    操作キー
２２２    受話口
２３０    ＣＰＵ
２３１    ＲＡＭ
２３２    ＲＯＭ
２３３    表示部
２３４    書き換え可能ＲＯＭ
２３５    電源部
２４１    送受信部
２４２    信号処理部
２４３    通話部
２５１    撮影部
２１４    撮影レンズ
２５１ａ    固体撮像素子
２５２    画像処理部
２５３    赤外通信部
【図１】
2005020671.tif 000003
【図２】
2005020671.tif 000004
【図３】
2005020671.tif 000005
【図４】
2005020671.tif 000006
【図５】
2005020671.tif 000007
【図６】
2005020671.tif 000008
【図７】
2005020671.tif 000009
【図８】
2005020671.tif 000010
【図９】
2005020671.tif 000011
【図１０】
2005020671.tif 000012
【図１１】
2005020671.tif 000013
【図１２】
2005020671.tif 000014
【図１３】
2005020671.tif 000015
【図１４】
2005020671.tif 000016
【図１５】
2005020671.tif 000017
【図１６】
2005020671.tif 000018
【図１７】
2005020671.tif 000019
【図１８】
2005020671.tif 000020
【図１９】
2005020671.tif 000021
【図２０】
2005020671.tif 000022
【図２１】
2005020671.tif 000023
【図２２】
2005020671.tif 000024
【図２３】
2005020671.tif 000025
【図２４】
2005020671.tif 000026